(57)【要約】【課題】画像表示装置の遠隔操作装置を利用する場合におけるユーザの利便性の向上【解決手段】プロジェクタ１００は、操作パネル２２０と、利用者による選択に応じて操作パネル２２０の表示内容を切り換える切替部２３０とを備える。切替ボタン２３１にはプロジェクタ１００の操作に不慣れな利用者向けの機能が関連付けられている。切替ボタン２３２には、プロジェクタ１００の中程度の熟練度の利用者向けの機能が関連付けられており、切替ボタン２３３にはプロジェクタ１００の保守を含む全ての機能を扱える高い熟練度の利用者向けの機能が関連付けられている。各切替ボタンボタン２３１、２３２、２３３が押下されると、押下された切替ボタンに関連付けられている機能が割り付けられた操作ボタンが操作パネル２２０に表示される。こうすれば、利用者はプロジェクタ１００の熟練度合いに応じて任意に機能の選択・利用を行える。【選択図】図２
2010068370.tif 000002
【特許請求の範囲】
【請求項１】
画像表示装置を遠隔から操作するための遠隔操作装置であって、
前記画像表示装置と通信可能な通信手段と、
前記画像表示装置に備えられている複数の機能の実行を指示するための操作部と、を備え、
前記操作部は、利用可能な機能が組み替え可能に構成されている、
遠隔操作装置。
【請求項２】
請求項１記載の遠隔操作装置であって、
前記操作部は、
画像表示装置に備えられている複数の機能の実行を指示する実行指示部を表示するための表示手段と、
利用者によって選択可能に構成された複数のユーザキーと、
前記複数のユーザキーのそれぞれと、前記複数の機能のうちの少なくとも一つの機能とを関連付ける関連付け手段と、
前記複数のユーザキーのうち、利用者に選択されたユーザキーに関連付けられている機能が割り付けられた操作部を前記表示手段に表示する表示制御手段と、
を備える遠隔操作装置。
【請求項３】
請求項２記載の遠隔操作装置であって、
前記関連付け手段は、前記複数のユーザキーのそれぞれと、利用者の特性の種類別に予め割り付けられた機能とを関連付けている、
遠隔操作装置。
【請求項４】
請求項２または請求項３記載の遠隔操作装置であって、
前記表示制御手段は、前記利用者に選択されたユーザキーに関連付けられている機能のみが割り付けられた操作部を表示する、
遠隔操作装置。
【請求項５】
請求項２または請求項３記載の遠隔操作装置であって、
前記操作部は、前記機能が割り付けられた操作ボタンを含み、
前記表示手段に表示される前記操作ボタンは一定であり、
前記表示制御手段は、前記選択されたユーザキーに関連付けられている機能が割り付けられている操作ボタンを第１の表示態様で表示し、前記選択されたユーザキーに関連付けられていない機能が割り付けられている操作ボタンを第２の表示態様で表示する、
遠隔操作装置。
【請求項６】
請求項１記載の遠隔操作装置であって、
前記操作部は、
互いに異なる機能が割り付けられた複数の操作装置であって、互いに組み付け可能に構成されている複数の操作装置から構成されている、
遠隔操作装置。
【請求項７】
請求項６記載の遠隔操作装置であって、
前記複数の操作装置は、
前記画像表示装置を操作するための基本的な機能が割り付けられた第１の操作装置と、
前記画像表示装置を操作するための付加的な機能が割り付けられた少なくとも１つの第２の操作装置と、
を備え、
前記第２の操作装置は、前記第１の操作装置に組み付け可能に構成されている、
遠隔操作装置。
【請求項８】
画像表示システムであって、
画像データに基づいて画像を表示する画像表示装置と、
請求項１ないし請求項７いずれか記載の遠隔操作装置と、
を備える画像表示システム。
【発明の詳細な説明】
【技術分野】
【０００１】
本発明は、画像表示装置を遠隔から操作するための遠隔操作装置に関し、特に、複数のユーザで共有して利用する遠隔操作装置に関する。
【背景技術】
【０００２】
画像表示装置として、入力画像信号によって表される画像をスクリーン上に拡大投写するプロジェクタが利用されている。プロジェクタを利用するユーザは、パーソナルコンピュータから供給される画像信号に基づいてプロジェクタに画像を表示させながら、プロジェクタに付属している遠隔操作装置（以降、本明細書ではリモートコントローラと呼ぶ）を用いてプロジェクタを遠隔操作できる。
【０００３】
プロジェクタを利用するユーザごとに、利用するプロジェクタの機能は異なることがある。例えば、プロジェクタの利用に慣れていないユーザは、入力切替やサムネイルの表示、プレゼンテーション実行指示などの基本的な機能しか利用しない場合が多いが、プロジェクタの利用に慣れているユーザは基本的な機能に加えて、画面のアスペクト比の設定やカラーバランスの設定など詳細な設定を行うための付加的な機能も利用する場合が多い。
【０００４】
【特許文献１】特開２００２−６４８８３号公報
【発明の開示】
【発明が解決しようとする課題】
【０００５】
しかしながら、一般的に、プロジェクタに付属するリモートコントローラは１台であるため、プロジェクタの利用者は全て同じリモートコントローラを利用しなければなければならず、利用者にとっては不便であった。例えば、プロジェクタの操作に慣れていないユーザは、多種多様な操作ボタンから利用すべき機能の実行指示を行うための操作ボタンを選択しなければならず非常に煩雑であった。このため、プロジェクタを利用するユーザごとに、利用可能な機能を変更することが望まれている。
【０００６】
本発明は上述の課題に鑑みてなされたものであり、画像表示装置を遠隔操作するための遠隔操作装置を利用する場合における、ユーザの利便性の向上を目的とする。
【課題を解決するための手段】
【０００７】
本発明は、上述の課題の少なくとも一部を解決するためになされたものであり、以下の形態または適用例として実現することが可能である。
【０００８】
［適用例１］
画像表示装置を遠隔から操作するための遠隔操作装置であって、前記画像表示装置と通信可能な通信手段と、前記画像表示装置に備えられている複数の機能の実行を指示するための操作部と、を備え、前記操作部は、利用可能な機能が組み替え可能に構成されている。
【０００９】
適用例１の遠隔操作装置によれば、利用可能な機能が組み替え可能に構成された操作部を備えている。従って、利用者は所望の機能を利用できるように、もしくは、利用者にとって不要な機能を除外するように、操作部を組み替えることができる。よって、利用者の利便性を向上できる。
【００１０】
［適用例２］
適用例１の遠隔操作装置において、前記操作部は、画像表示装置に備えられている複数の機能の実行を指示する実行指示部を表示するための表示手段と、利用者によって選択可能に構成された複数のユーザキーと、前記複数のユーザキーのそれぞれと、前記複数の機能のうちの少なくとも一つの機能とを関連付ける関連付け手段と、前記複数のユーザキーのうち、利用者に選択されたユーザキーに関連付けられている機能が割り付けられた操作部を前記表示手段に表示する表示制御手段と、を備える。適用例１の遠隔操作装置によれば、利用者に選択されたユーザキーに関連付けられている機能が割り付けられた操作部が表示手段に表示される。従って、各ユーザはユーザキーを選択することにより、容易に、機能の選択・除外を行うことができる。
【００１１】
［適用例３］
適用例２の遠隔操作装置において、前記関連付け手段は、前記複数のユーザキーのそれぞれと、利用者の特性別に予め割り付けられた機能とを関連付けている。適用例３の遠隔操作装置によれば、利用者の特性別に予め割り付けられた機能がユーザキーに関連付けられているので、利用者の特性が反映された操作部が表示される。従って、利用者は、自己の特性に応じてユーザキーを選択することにより、自己の特性に応じた操作部で画像表示装置を操作できる。
【００１２】
［適用例４］
適用例２または適用例３の遠隔操作装置において、前記表示制御手段は、前記利用者によって選択されたユーザキーに関連付けられている機能のみが割り付けられた操作部を表示する。適用例４の遠隔操作装置によれば、表示部には、選択されたユーザキーに関連付けられている機能のみが表示される。従って、利用者は限定された機能の中から所望の機能を選択することができる。よって、多種多様な機能の中から所望の機能を選択するという利用者の手間を省略できる。
【００１３】
［適用例５］
適用例２または適用例３の遠隔操作装置において、前記操作部は、前記機能が割り付けられた操作ボタンを含み、前記表示手段に表示される前記操作ボタンは一定であり、前記表示制御手段は、前記選択されたユーザキーに関連付けられている機能が割り付けられている操作ボタンを第１の表示態様で表示し、前記選択されたユーザキーに関連付けられていない機能が割り付けられている操作ボタンを第２の表示態様で表示する。適用例５の遠隔操作装置によれば、選択されたユーザキーに関連付けられている機能と、選択されたユーザキーに関連付けられていない機能とは、異なる表示態様で表示される。従って、ユーザは、選択したユーザキーに関連付けられている機能を容易に視認できる。よって、機能の選択を簡易に行うことができる。
【００１４】
［適用例６］
適用例１の遠隔操作装置において、前記操作部は、互いに異なる機能が割り付けられた複数の操作装置であって、互いに組み付け可能に構成されている複数の操作装置から構成されている。適用例６の遠隔操作装置によれば、各操作部を組み合わせることにより遠隔操作装置が構成される。従って、ユーザは、簡易に機能の限定や選択を行うことができるので、利用者の利便性を向上できる。
【００１５】
［適用例７］
適用例６の遠隔操作装置において、前記複数の操作装置は、前記画像表示装置を操作するための基本的な機能が割り付けられた第１の操作装置と、前記画像表示装置を操作するための付加的な機能が割り付けられた少なくとも１つの第２の操作装置と、を備え、前記第２の操作装置は、前記第１の操作装置に組み付け可能に構成されている。適用例７の遠隔操作装置によれば、基本的な機能が割り付けられた第１の操作装置に、付加的な機能が割り付けられた第２の操作装置が組み合わされて操作部が構成される。従って、ユーザは、所望の付加的な機能が割り付けられている第２の操作装置を選択して第１の操作部に組み付けることにより、付加的な機能の限定・選択を行うことができる。
【００１６】
［適用例８］
画像表示システムであって、画像データに基づいて画像を表示する画像表示装置と、
適用例１ないし適用例７いずれかの遠隔操作装置と、を備える。適用例８の画像表示システムによれば、適用例１〜適用例７いずれかの遠隔操作装置が備えられているので、利用者は、所望の機能を利用できるように、もしくは、不要な機能が除外されるように組み替えられた操作部を利用して画像表示装置を操作できる。よって、利用者の操作性を向上できる。
【００１７】
本発明において、上述した種々の態様は、適宜、組み合わせたり、一部を省略したりして適用することができる。
【発明を実施するための最良の形態】
【００１８】
Ａ．第１実施例：
Ａ１．システム概要：
図１は、第１実施例におけるプロジェクションシステムについて例示する説明図である。プロジェクションシステム１０は、画像表示装置としてのプロジェクタ１００と、遠隔操作装置としてのリモートコントローラ２００とを備える。プロジェクタ１００は、入力された画像データに応じて光学像を形成し、形成した光学像を、投射レンズを介してスクリーンＳＣに投射する。以降、第１実施例では、画像データに基づいてスクリーンＳＣに光学像を投射する処理を画像表示処理と呼ぶ。プロジェクタ１００は無線通信部１２０を備え、リモートコントローラ２００は無線通信部２４０を備えており、プロジェクタ１００とリモートコントローラ２００は無線通信可能に構成されている。リモートコントローラ２００は、無線通信を介して、画像表示や動作条件の設定などプロジェクタ１００の種々の機能を遠隔操作する。
【００１９】
プロジェクタ１００は、一般的に、複数の利用者によって共有され利用されており、各利用者によって、プロジェクタ１００の操作の熟練度合いは異なる。そのため、利用者によって、プロジェクタ１００に備えられている機能のうち、利用する機能、利用しない機能に違いがある。例えば、プロジェクタ１００の操作に不慣れな利用者は、画像表示処理以外の機能、例えば、プロジェクタ１００の動作条件の設定機能や保守機能を利用することはあまりないと考えられる。よって、第１実施例のリモートコントローラ２００は、利用者に応じて、利用可能な機能を組み替え可能に構成されている。第１実施例では、プロジェクタ１００の操作の熟練度合いに応じて３段階に利用者を分けて、各段階別に利用可能な機能を関連付けている。
【００２０】
以下、本明細書では、プロジェクタ１００に設けられている機能のうち、画像表示処理に関する機能を「基本的な機能」と呼び、画像表示処理以外の種々の処理（動作条件の設定や保守など）に関する機能を「付加的な機能」と呼ぶ。「基本的な機能」には、例えば、プロジェクタ１００の電源投入、入力を切り換える入力切替、スクリーンＳＣに表示されている画像の拡大・縮小の他、コンピュータを介さずに、ＵＳＢメモリ等の可搬型記憶媒体から画像データを取得して画像を表示する場合（以降、第１実施例では、「コンピュータなし画像表示」と呼ぶ）には、可搬型記憶媒体に記憶されている画像データのサムネイル表示や、表示画像をスクロールしたり、スライドを切り換えたりする画像処理等の機能が含まれる。「付加的な機能」には、プロジェクタ１００の動作条件の設定や保守を行うための機能が含まれている。例えば、プロジェクタ１００の傾きに起因して表示画像が台形状に歪む台形歪みを補正する台形歪み補正機能、表示画像のアスペクト比を設定するアスペクト比設定機能、表示画像のフォーカス位置設定機能、カラーバランスやグレースケールの設定機能、投射レンズの位置を設定するレンズシフト機能、保守機能等が付加的な機能に含まれている。例えば、プロジェクタ１００の動作条件には、台形歪みを補正するための補正値が含まれており、台形歪み補正機能は、この補正値を調整する。
【００２１】
Ａ２．リモートコントローラ概略構成：
図２は、リモートコントローラ２００の概略構成を例示する説明図である。図２（ａ）は、リモートコントローラ２００の概略構成を示している。リモートコントローラ２００は、プロジェクタ１００との間で無線信号を送受信する無線通信部２４０と、少なくとも一つの操作ボタンを表示するための操作パネル２２０と、利用者による選択に応じて操作パネル２２０の表示内容を切り換える切替部２３０と、を備える。無線通信部２４０は、プロジェクタ１００と双方向通信可能に構成されている。切替部２３０は、切替ボタン２３１、２３２、２３３を備える。各切替ボタン２３１、２３２、２３３には、プロジェクタ１００の機能が関連付けられている。第１実施例では、各熟練段階の利用者が利用可能な機能は、熟練度合いの低い順に、切替ボタン２３１、２３２、２３３に関連付けられている。切替部２３０は、特許請求の範囲の「ユーザキー」に当たる。
【００２２】
切替ボタン２３１にはプロジェクタ１００の操作に不慣れな利用者（以降、実施例では、第１の利用者と呼ぶ）向けの基本的な機能が関連付けられている。操作パネル２２０に表示された操作ボタンは、プロジェクタ１００の機能の実行を指示するためのコマンドが対応付けられている。以降、本明細書では、各操作ボタンに対応付けられたプロジェクタ１００の機能の実行を指示するための操作部、操作ボタンを、「機能が割り付けられた操作部」、「機能が割り付けられた操作ボタン」と呼ぶ。
【００２３】
切替ボタン２３１が押下されると、図２（ｂ）に示すように、第１の利用者向けの操作メニューが操作パネル２２０に表示される。第１の利用者向けの操作メニューには、例えば、プロジェクタ１００の電源を投入するための電源ボタン２５０、入力切替を行うための入力切替ボタン２５１、表示画像の拡大・縮小を行うためのズームボタン２５２、コンピュータを介さずに、コンピュータなし画像表示の場合には、サムネイルを表示するためのサムネイルボタン２５３や画像をスクロールしたり、スライドを切り換えたりする画像処理を行うための操作ボタン２５４、操作を決定するための決定ボタン２５５等が含まれる。
【００２４】
切替ボタン２３２には、プロジェクタ１００の操作に慣れており、プロジェクタ１００の基本的な機能と、付加的な機能の一部の機能を利用できる利用者（以降、実施例では第２の利用者と呼ぶ）向けの機能が関連付けられている。「機能を利用できる」とは、提供される機能を利用者が理解し、その機能を用いてプロジェクタ１００の操作を適切に行うことができることを意味する。第１実施例では、「付加的な機能の一部の機能」には、例えば、台形補正機能、アスペクト比設定機能、フォーカス位置設定機能等が含まれている。
【００２５】
切替ボタン２３２が押下されると、図２（ｃ）に示すように、第２の利用者向けの操作メニューが操作パネル２２０に表示される。第２の利用者向けの操作メニューには、例えば、第１の利用者向けの操作メニューに加えて、台形歪み補正機能が割り付けられた台形歪み補正ボタン２５６やアスペクト比設定機能が割り付けられたアスペクト比ボタン２５７、表示画像のフォーカス位置設定機能が割り付けられたフォーカスボタン２５８等、付加的な機能の一部の機能が割り付けられたボタンが含まれる。
【００２６】
切替ボタン２３３には、プロジェクタ１００を設置する設置作業者やプロジェクタ１００の操作に熟練した利用者など、プロジェクタ１００の基本的な機能と付加的な機能の全てを扱うことができる利用者（以降、実施例では第３の利用者と呼ぶ）向けの機能が関連付けられている。切替ボタン２３３が押下されると、図２（ｄ）に示すように、第３の利用者向けの操作メニューが操作パネル２２０に表示される。第３の利用者向けの操作メニューには、第２の操作メニューに表される操作ボタンに加えて、例えば、表示画像の色合いを決定するカラーバランスボタン２５９やグレースケールを設定するためのグレースケールボタン２６０、スクリーンＳＣの歪みに起因して表示画像に生じる凹凸歪みを補正する凹凸歪み補正ボタン２６１、投射レンズの位置を設定するレンズシフトボタン２６２、光源から射出される光の強さを設定する光量ボタン２６３、光源の総点灯時間を取得するための点灯時間ボタン２６４やフィルターの状態を取得するフィルターボタン２６５等が含まれる。
【００２７】
なお、プロジェクタ１００の保守機能については、プロジェクタ１００とリモートコントローラ２００とが双方向通信を行いつつ実行される。例えば、点灯時間ボタン２６４選択時には、光源の総点灯時間を取得するための取得要求コマンドがリモートコントローラ２００からプロジェクタ１００に対して送信され、光源の総点灯時間に関する情報を含む応答コマンドがプロジェクタ１００からリモートコントローラ２００に対して送信される。リモートコントローラ２００は応答コマンドを受信して解析し、操作パネル２２０に光源の総点灯時間を表す情報を表示する。
【００２８】
なお、第１の利用者向けの操作メニュー、第２の利用者向けの操作メニュー、および、第３の利用者向けの操作メニューのいずれも、上記に示すボタンに限られず、任意の機能が割り付けられたボタンを表示可能である。また、利用者への操作メニューの提示態様は、上記したボタンの態様に限られず、公知の種々の態様を適用可能である。
【００２９】
Ａ３．機能ブロック：
図３は、第１実施例におけるプロジェクションシステム１０の機能ブロックを例示する説明図である。まずプロジェクタ１００について説明する。プロジェクタ１００は、ＣＰＵ１１０と、無線通信部１２０と、通信制御部１３０と、画像取得部１４０と、画像処理部１５０と、画像形成部１６０と、投射レンズ１７０と、を備える。図３において、各光学系は簡略に記載されている。ＣＰＵ１１０は、プロジェクタ１００全体の動作を制御する。なお、プロジェクタ１００には、図示が省略されているがメモリが備えられている。
【００３０】
無線通信部１２０は、図示しない送信部と受信部を備えており、リモートコントローラ２００と双方向に無線通信可能に構成されている。無線通信としては、例えば、赤外線通信を適用可能である。無線通信部１２０は、リモートコントローラ２００からの機能実行の指示コマンドを受信したり、指示コマンドに対する応答コマンドをリモートコントローラ２００に対して送信したりする。通信制御部１３０は、リモートコントローラ２００との間の無線通信を制御する。
【００３１】
画像取得部１４０は、外部機器との接続インタフェースを備えており、接続インタフェースに接続された外部機器から画像データを取得し、取得した画像データを画像処理部１５０に受け渡す。画像処理部１５０は、画像取得部１４０から受け渡された画像データに種々の画像処理を施して補正画像データを生成し、補正画像データを画像形成部１６０へ受け渡す。種々の画像処理とは、例えば、輝度やコントラスト、色合いなど画質の調整の他、台形歪みの補正やアスペクト比の補正などの種々の処理を含む。
【００３２】
画像形成部１６０は、光源、光源を駆動する光源駆動部、液晶ライトバルブ、液晶ライトバルブを駆動する液晶ライトバルブ駆動部、投射レンズ１７０を調整する調整部等を含んでおり、画像処理部１５０から受け渡された補正画像データに基づいて光学像を形成し投射レンズ１７０に向けて射出する。投射レンズ１７０は、画像形成部１６０によって形成された光学像をスクリーンＳＣ上に拡大投写する。
【００３３】
リモートコントローラ２００について説明する。リモートコントローラ２００は、ＣＰＵ２１０と、操作パネル２２０と、切替部２３０と、無線通信部２４０と、通信制御部２４５と、表示制御部２９０と、を備える。ＣＰＵ２１０は、リモートコントローラ２００全体の動作を制御する。
【００３４】
無線通信部２４０は、図示しない送信部と受信部とを備えており、プロジェクタ１００と双方向に無線通信可能に構成されている。無線通信としては、例えば、赤外線通信を適用可能である。無線通信部２４０は、プロジェクタ１００に対して機能実行の指示コマンドを送信したり、プロジェクタ１００からの応答コマンドを受信したりする。通信制御部２４５は、プロジェクタ１００と無線通信部２４０との間で行われる無線通信を制御する。無線通信部２４０および通信制御部２４５が、特許請求の範囲の「通信手段」に当たる。
【００３５】
表示制御部２９０は、切替部２３０の切替ボタン２３１、２３２、２３３のそれぞれとプロジェクタ１００の複数の機能の少なくとも一つの機能とを関連付けて管理しており、切替ボタン２３１、２３２、２３３のうち、選択された切替ボタンに関連付けられている機能を操作パネル２２０に表示する。第１実施例では、表示制御部２９０は、選択された切替ボタンに関連付けられている機能のみを操作パネル２２０に表示する。なお、切替ボタン２３１、２３２、２３３のそれぞれとプロジェクタ１００の複数の機能との関連づけは、例えば、切替ボタン２３１、２３２、２３３のそれぞれを表す情報と、機能に関する情報とを関連付けた関連付けテーブルにより管理されていてもよい。この場合、関連付けテーブルは、図示しないメモリに記憶されていてもよい。表示制御部２９０は、特許請求の範囲における「関連付け手段」および「表示制御手段」に当たる。
【００３６】
以上説明した第１実施例のプロジェクションシステム１０によれば、利用可能な機能が組み替え可能に構成された操作部（リモートコントローラ）を備えている。従って、利用者は所望の機能を利用できるように、もしくは、利用者にとって不要な機能を除外するように、操作部を組み替えることができる。よって、利用者の利便性を向上できる。また、切替ボタン２３１、２３２、２３３のいずれかを押下することにより、機能を実行するための操作ボタン２５４が異なる組み合わせで組み合わされた操作メニューが操作パネル２２０に表示される。従って、利用者は、切替ボタン２３１、２３２、２３３のいずれか選択して容易に、機能の選択・除外を行うことができるので、利用者の利便性を向上できる。
【００３７】
また、第１実施例のプロジェクションシステム１０によれば、選択された切替ボタンに関連付けられている機能のみが操作パネル２２０に表示される。従って、利用者は限定された機能の中から所望の機能を選択することができる。よって、多種多様な機能のなかから所望の機能を選択するという利用者の手間を省略できる。
【００３８】
また、第１実施例のプロジェクションシステム１０によれば、プロジェクタ１００の操作の熟練度合いに応じて３段階に利用者を分けて、各段階別に利用可能な機能が関連付けられている。従って、利用者は、切替部２３０の各切替ボタンのうち、自己の熟練度合いに応じて切替ボタンを選択することにより、簡易に、利用者の特性が反映された、すなわち、自己の熟練度合い見合った操作メニュー利用することができる。
【００３９】
Ｂ．第２実施例：
第２実施例では、互いに利用可能な機能が異なる操作部を備える複数の操作装置を備え、各操作装置が、互いに組み付け可能に構成されているリモートコントローラセットについて説明する。
【００４０】
Ｂ１．システム構成：
図４は、第２実施例におけるリモートコントローラセットを説明する説明図である。図５は、第２実施例における複数の操作装置の組み付けについて説明する説明図である。リモートコントローラセット３００は、第１の操作装置３１０、第２の操作装置３２０、第３の操作装置３３０および第４の操作装置３４０を備える。第２の操作装置３２０、第３の操作装置３３０および第４の操作装置３４０は、第１の操作装置３１０に組み付け可能に構成されている。
【００４１】
各操作装置３１０、３２０、３３０、３４０の各操作部は、プロジェクタ１００の機能が割り付けられた物理的な複数のボタンを備える。第１の操作装置３１０は、プロジェクタ１００を操作するための基本的な機能が割り付けられた操作部３１１を備えており、第２の操作装置３２０、第３の操作装置３３０、第４の操作装置３４０は、プロジェクタ１００を操作するための付加的な機能が割り付けられた操作部３２１、３３１、３４１を備える。第２の操作装置３２０、第３の操作装置３３０および第４の操作装置３４０のそれぞれの操作部３２１、３３１、３４１は、互いに異なる機能が割り付けられている。
【００４２】
なお、第２実施例において、プロジェクタ１００を操作するための基本的な機能には、例えば、プロジェクタ１００の電源投入、入力を切り換える入力切替、スクリーンＳＣに表示されている画像の拡大・縮小の他、コンピュータなし画像表示時には、可搬型記憶媒体に記憶されている画像データのサムネイル表示や、表示画像をスクロールしたり、スライドを切り換えたりする画像処理が含まれる。また、プロジェクタ１００を操作するための付加的な機能には、プロジェクタ１００の傾きに起因して表示画像が台形状に歪む台形歪みを補正する台形補正機能、表示画像のアスペクト比の設定機能、表示画像のフォーカス位置を設定する機能、表示画像の色合いを決定するカラーバランスやグレースケールを設定する画質設定機能、スクリーンＳＣの歪みに起因して表示画像に生じる曲面歪みを補正する凹凸歪み補正機能、投射レンズの位置や光源から射出される光の強さを設定する機能などが含まれる。また、プロジェクタ１００を操作するための付加的な機能には、プロジェクタ１００の保守も含まれる。プロジェクタ１００の保守には、光源ランプの交換やフィルターの清掃が含まれており、保守に関する情報として、例えば、光源ランプの総点灯時間やフィルターの状態を表す情報等が含まれる。
【００４３】
第１の操作装置３１０は、操作部３１１と、無線通信部３１８と、接続部３１９ａおよび３１９ｂを備える。操作部３１１には、プロジェクタ１００の電源を投入するための電源ボタン３１２、入力切替を行うための入力切替ボタン３１３、表示画像の拡大・縮小を行うためのズームボタン３１４や、コンピュータなし画像表示の場合には、サムネイルを表示するためのサムネイルボタン３１５や画像をスクロールしたり、スライドを切り換えたりする画像処理を行うための操作ボタン３１６、操作を決定するための決定ボタン３１７等が含まれる。無線通信部３１８は、プロジェクタ１００との双方向の無線通信、例えば赤外線通信を行うための送受信機能を備える。接続部３１９ａおよび３１９ｂは、第２の操作装置３２０、第３の操作装置３３０および第４の操作装置３４０のそれぞれと接続するためのインタフェースである。
【００４４】
第２の操作装置３２０は、操作部３２１と、接続部３２５ａおよび３２５ｂを備える。操作部３２１には、台形歪み補正機能を指示するための台形歪み補正ボタン３２２やアスペクト比の設定を行うためのアスペクト比ボタン３２３、表示画像のフォーカス位置を設定するためのフォーカスボタン３２４が含まれる。接続部３２５ａおよび接続部３２５ｂは、第１の操作装置３１０、第３の操作装置３３０、第４の操作装置３４０と接続するためのインタフェースである。なお、第２の操作装置３２０には、プロジェクタ１００と無線通信を行うための機能は設けられていない。
【００４５】
第３の操作装置３３０は、操作部３３１と、接続部３３７ａおよび３３７ｂを備える。操作部３３１には、カラーバランスを設定するためのカラーバランスボタン３３２、グレースケールを設定するためのグレースケールボタン３３３、凹凸歪み補正機能を実行するための凹凸歪み補正ボタン３３４、投射レンズ１７０の位置を設定するレンズシフトボタン３３５、光の強さを設定する光量ボタン３３６が含まれる。接続部３３７ａおよび接続部３３７ｂは、第１の操作装置３１０、第２の操作装置３２０、第４の操作装置３４０と接続するためのインタフェースである。なお、第３の操作装置３３０には、プロジェクタ１００と無線通信を行うための機能は設けられていない。
【００４６】
第４の操作装置３４０は、操作部３４１と、接続部３４５ａおよび３４５ｂを備える。操作部３４１には、光源の総点灯時間を取得するための点灯時間ボタン３４２、フィルターの状態を取得するためのフィルターボタン３４３および種々の情報（例えば、保守に関する情報や動作条件など）を表示するための表示パネル３４５が含まれる。接続部３４５ａおよび接続部３４５ｂは、第１の操作装置３１０、第２の操作装置３２０、第３の操作装置３３０と接続するためのインタフェースである。なお、第４の操作装置３４０には、プロジェクタ１００と無線通信を行うための機能は設けられていない。
【００４７】
接続部３１９ａ、３２５ａ、３３７ａおよび３４５ａは、他の操作装置の接続部３１９ｂ、３２５ｂ、３３７ｂおよび３４５ｂと接続可能である。例えば、第１の操作装置３１０の接続部３１９ａには、第２の操作装置３２０の接続部３２５ｂ、第３の操作装置３３０の接続部３３７ｂ、第４の操作装置３４０の接続部３４５ｂが接続可能である。また、例えば、第１の操作装置３１０の接続部３１９ｂに第２の操作装置３２０の接続部３２５ａが接続された状態（すなわち、第１の操作装置３１０と第２の操作装置３２０が組み付けられた状態）において、第２の操作装置３２０の接続部３２５ｂに第３の操作装置３３０の接続部３３７ａを接続したり、接続部３１９ａに第４の操作装置３４０の接続部３４５ｂを接続したりすることもできる。
【００４８】
利用者は、プロジェクタ１００の基本的な機能の他に、付加的な機能を利用したい場合、第２の操作装置３２０、第３の操作装置３３０および第４の操作装置３４０のうち所望の機能が割り付けられた操作装置を第１の操作装置３１０に接続すれば、所望の機能が割り付けられたリモートコントローラを得ることができる。例えば、利用者は、プロジェクタ１００の基本的な機能の他に、台形補正機能と、保守機能を利用したい場合には、図５に示すように、第１の操作装置３１０の接続部３１９ａに、台形補正機能が割り付けられた第２の操作装置３２０の接続部３２５ｂを接続するとともに、第１の操作装置３１０の接続部３１９ｂに、保守機能が割り付けられた第４の操作装置３４０の接続部３４５ｂを接続すればよい。
【００４９】
第１の操作装置３１０と他の操作装置３２０、３３０、３４０が接続されると、接続された操作装置間は電気的にも接続される。これにより、第２の操作装置３２０の操作部３２１、第３の操作装置３３０の操作部３３１および第４の操作装置３４０の操作部３４１においてボタンが押下されると、各ボタンに応じた指示コマンドは接続部を介して第１の操作装置３１０に伝達され、第１の操作装置３１０の無線通信部３１８を介してプロジェクタ１００に送信される。同様に、プロジェクタ１００から送信された応答コマンドは、第１の操作装置３１０の無線通信部３１８によって受信され、各接続部を介して第４の操作装置３４０に伝達される。
【００５０】
以上説明した第２実施例のリモートコントローラセットは、各操作装置３１０、３２０、３３０、３４０を組み合わせることにより構成される。従って、ユーザは、所望の機能が割り付けられた操作部を選択して組み合わせて一つのリモートコントローラを得ることができる。よって、不要な機能を含む多種多様な機能から所望の機能を選択するという煩雑な行為を省略でき、簡易に機能の限定や選択を行うことができるので、利用者の利便性を向上できるので、利用者の利便性を向上できる。
【００５１】
また、第２実施例のリモートコントローラセットによれば、基本的な機能が割り付けられた第１の操作装置３１０に、付加的な機能が割り付けられた第２の操作装置３２０、第３の操作装置３３０および第４の操作装置３４０を組み合わせてリモートコントローラが構成される。従って、ユーザは、付加的な機能の限定・選択を容易に行うことができる。
【００５２】
また、第２実施例のリモートコントローラセットによれば、画像の表示操作以外の機能の中で、プロジェクタ１００の操作に慣れているユーザの多くに利用されている台形補正機能、拡大縮小機能、合焦機能の少なくとも一つが付加的な機能としてまとめて第２の操作装置３２０に割り付けられている。よって、第２の操作装置３２０を第１の操作装置３１０に組み付けることにより、簡易に、多数のユーザが高い頻度で利用する機能のみが割り付けられたリモートコントローラを提供できる。
【００５３】
Ｃ．変形例：
（１）上述の第１実施例では、切替部２３０に設けられている切替ボタン２３１、２３２、２３３のうち選択されたボタンに関連付けられている機能の操作ボタンのみを操作パネル２２０に表示しているが、例えば、例えば、操作パネルの表示内容は固定とし、選択された切替ボタンに関連付けられた機能が割り付けられた操作ボタンとそれ以外の機能が割り付けられた操作ボタンとを、異なる表示態様で表示してもよい。
【００５４】
図６は、変形例におけるリモートコントローラ２００ａを例示する説明図である。リモートコントローラ２００ａにおいて、操作パネル２２０に表示される操作ボタンは予め規定された一定の表示のまま固定であり、選択された切替ボタンに応じて操作ボタンの表示態様が変更される。図６では、切替ボタン２３３が選択された状態を表している。選択された切替ボタン２３３に関連付けられている機能が割り付けられた操作ボタンを第１の表示態様（図６にハッチングで示す）とし、選択した切替ボタンに関連付けられていない機能が割り付けられた操作ボタンを第２の表示態様（図６に白抜きで示す）にとするように表示制御部２９０が制御する。このようにすることにより、ユーザは、いずれの機能が選択したユーザキーに関連付けられている機能であるかを容易に視認できる。よって、機能の選択を簡易に行うことができる
【００５５】
なお、変形例（１）において、選択された切替ボタンに応じて表示態様を変更するだけでなく、第１の表示態様で表示されている操作ボタンは利用可能に制御し、第２の表示態様で表示されている操作ボタンは利用不可能となるように制御してもよい。こうすれば、操作ボタンの誤選択を回避できる。
【００５６】
（２）上述の第１実施例では、切替部２３０に設けられている切替ボタン２３１、２３２、２３３に応じて操作パネル２２０の表示内容を切り換えているが、例えば、操作パネルの表示内容は固定とし、利用可能なボタンに対応する部位に孔部が形成されているカバーを装着してもよい。
【００５７】
図７は、変形例におけるリモートコントローラセット４００を例示する説明図である。図８は、変形例におけるリモートコントローラのカバーの装着について説明する説明図である。リモートコントローラセット４００は、リモートコントローラ本体４１０と、カバー４２０、４３０、４４０を備える。リモートコントローラ本体４１０は、操作部４１１と、図示しない無線通信部を備える。操作部４１１は、第１実施例と同様にタッチパネル式の液晶パネルにより構成されており、プロジェクタ１００の種々の機能が割り付けられたボタンが表示されている。なお、操作部４１１の各種ボタン等の操作キーは、例えば、物理的なボタンにより構成されていてもよい。
【００５８】
カバー４２０、４３０、４４０は、操作部４１１を被覆可能に形成されており、操作部４１１に表示されているボタンのうち一部のボタンに対応する部位に形成された貫通孔Ｈと、リモートコントローラ本体４１０を収容する収容部４２２、４３２、４４２が形成されている。カバー４２０、４３０、４４０は、リモートコントローラ本体４１０の無線通信部から送信される無線信号を遮断しないように形成されている。
【００５９】
図８（ａ）は、変形例におけるリモートコントローラ本体４１０へのカバー４３０の装着時の状態を示しており、図８（ｂ）は、リモートコントローラ本体４１０にカバー４３０が装着された状態を示している。利用者は、カバー４２０、４３０、４４０のうち、所望の機能が割り付けられた操作ボタンに対応する部位に貫通孔Ｈが設けられたカバーにリモートコントローラ本体４１０を差し込む。例えば、図８（ａ）に示すように、カバー４３０の収容部４３２にリモートコントローラ本体４１０を差し込んで装着する。こうすることにより、図８（ｂ）に示すように、カバー４３０に形成された貫通孔Ｈに対応する位置に表示されているボタンのみが視認・選択可能なリモートコントローラが構成される。従って、プロジェクタ１００の多種多様な機能が割り付けられた多数のボタンの中から必要なボタンのみが視認可能となるので、利用者にとって不要な機能を誤って選択したり、多数のボタンから所望のボタンを選択したりする手間を省略できる。よって、利用者の操作性を向上できる。
【００６０】
変形例において、例えば、カバー４２０は、第１実施例における第１の利用者向けに貫通孔Ｈが形成されており、第１実施例におけるカバー４３０は、第２の利用者向けに貫通孔Ｈが形成されており、第１実施例におけるカバー４４０は、第３の利用者向けに貫通孔Ｈが形成されているように、各カバーを形成してもよい。こうすれば、利用者の熟練度合いに応じて利用可能な機能が異なるリモートコントローラを提供できる。
【００６１】
（３）上述の第１実施例では、利用者のプロジェクタ１００の操作の熟練度合いに応じて表示内容を切り換えているが、例えば、コンピュータを接続し、コンピュータから送信される画像に基づいて画像を表示する態様と、プロジェクタに直接接続された可搬型記憶媒体から画像データを取得し、取得した画像データに基づいて画像を表示する態様とで表示内容を切り換えても良い。プロジェクタに直接接続された可搬型記憶媒体から画像データを取得し、取得した画像データに基づいて画像を表示する場合、コンピュータから送信される画像に基づいて画像を表示する場合には必要のない機能、例えば、可搬型記憶媒体に記憶されている画像データの選択画面を表示する機能が必要となる。よって、切替部２３０の切替ボタンを押下することにより、プロジェクタに直接接続された可搬型記憶媒体から画像データを取得し、取得した画像データに基づいて画像を表示する場合に必要な機能（例えば、サムネイルが表示された画像データ選択画面）が割り付けられた操作ボタンが表示されるように構成してもよい。こうすれば、画像データ取得先の外部機器の違いに応じて柔軟に操作画面を切り換えることができる。
【００６２】
（４）上述の第２実施例では、複数の操作装置を組み合わせて一つのリモートコントローラを構成しているが、例えば、リモートコントローラ本体に、変形する機能を備えても良い。例えば、２つの操作装置を開閉可能に組み付けても良い。なお、開閉可能とは、折りたたみ式やスライド式に開閉する態様を含む。また、操作装置の表面と裏面とに異なるボタンを設けて、回転やひねりにより所望のボタンを前面に配置可能な態様としても良い。
【００６３】
以上、本発明の種々の実施例について説明したが、本発明はこれらの実施例に限定されず、その趣旨を逸脱しない範囲で種々の構成をとることができる。
【図面の簡単な説明】
【００６４】
【図１】第１実施例におけるプロジェクションシステムについて例示する説明図。
【図２】第１実施例におけるリモートコントローラの概略構成を例示する説明図。
【図３】第１実施例におけるプロジェクションシステムの機能ブロックを例示する説明図。
【図４】第２実施例におけるリモートコントローラセットを説明する説明図。
【図５】第２実施例における複数の操作装置の組み付けについて説明する説明図。
【図６】変形例におけるリモートコントローラを例示する説明図。
【図７】変形例におけるリモートコントローラセットについて説明する説明図。
【図８】変形例におけるリモートコントローラのカバーの装着について説明する説明図。
【符号の説明】
【００６５】
１０…プロジェクションシステム、１００…プロジェクタ、１１０…ＣＰＵ、１２０…無線通信部、１３０…通信制御部、１４０…画像取得部、１５０…画像処理部、１６０…画像形成部、１７０…投射レンズ、２００…リモートコントローラ、２１０…ＣＰＵ、２２０…操作パネル、２３０…切替部、２３１、２３２、２３３…切替ボタン、２４０…無線通信部、２４５…通信制御部、２５０…電源ボタン、２５１…入力切替ボタン、２５２…ズームボタン、２５３…サムネイルボタン、２５４…操作ボタン、２５５…決定ボタン、２５６…台形歪み補正ボタン、２５７…アスペクト比ボタン、２５８…フォーカスボタン、２５９…カラーバランスボタン、２６０…グレースケールボタン、２６１…凹凸歪み補正ボタン、２６２…レンズシフトボタン、２６３…光量ボタン、２６４…点灯時間ボタン、２６５…フィルターボタン、２９０…表示制御部、３００…リモートコントローラセット、３１０…第１の操作装置、３１１…操作部、３１２…電源ボタン、３１３…入力切替ボタン、３１４…ズームボタン、３１５…サムネイルボタン、３１６…操作ボタン、３１７…決定ボタン、３１８…無線通信部、３１９ａ、３１９ｂ…接続部、３２０…第２の操作装置、３２１…操作部、３２２…補正ボタン、３２３…アスペクト比ボタン、３２４…フォーカスボタン、３２５ａ、３２５ｂ…接続部、３３０…第３の操作装置、３３１…操作部、３３２…カラーバランスボタン、３３３…グレースケールボタン、３３４…補正ボタン、３３５…レンズシフトボタン、３３６…光量ボタン、３３７ａ、３３７ｂ…接続部、３４０…第４の操作装置、３４１…操作部、３４２…点灯時間ボタン、３４３…フィルターボタン、３４５…表示パネル、３４５ａ、３４５ｂ…接続部、４００…リモートコントローラセット、４１０…リモートコントローラ本体、４１１…操作部、４２０、４３０、４４０…カバー、４２２、４３２、４４２…収容部
【図１】
2010068370.tif 000003
【図２】
2010068370.tif 000004
【図３】
2010068370.tif 000005
【図４】
2010068370.tif 000006
【図５】
2010068370.tif 000007
【図６】
2010068370.tif 000008
【図７】
2010068370.tif 000009
【図８】
2010068370.tif 000010